(57)【要約】【課題】環境保全に適し、かつ、自動販売機の本体の後方転倒を防止できる自動販売機の梱包材を提供する。【解決手段】本体１４の底部から前方に突出した左右一対の脚部１６，１６を有する自動販売機１０の梱包材１２において、段ボール製のパレット１８と、パレット１８の前部に設けられ、左右一対の脚部１６，１６の前部を覆うための左右一対の脚カバー部２０，２０とを有する。【選択図】      図１
2011111200.tif 000002
【特許請求の範囲】
【請求項１】
本体底部から前方に突出した左右一対の前脚部を有する自動販売機の梱包材において、
前記本体を載置するための硬質紙材製のパレットと、
前記パレットの前部に設けられ、前記左右一対の前脚部を覆うための左右一対の脚カバー部と、
前記各前脚部を挿入するために、前記各脚カバー部の後部に開口した挿入口と、
を有することを特徴とする自動販売機の梱包材。
【請求項２】
前記硬質紙材は、段ボールである、
ことを特徴とする請求項１に記載の自動販売機の梱包材。
【請求項３】
前記パレットの下面に紙管よりなる支持部を有する、
ことを特徴とする請求項１又は２に記載の自動販売機の梱包材。
【発明の詳細な説明】
【技術分野】
【０００１】
本発明は、自動販売機をその製造終了後から設置までの間に、保管、輸送及び移動に適した状態で梱包する自動販売機の梱包材に関するものである。
【背景技術】
【０００２】
従来の自動販売機の梱包材としては、例えば木材が使用されており、環境保全に適していなかった。また、木材を使用した場合には自動販売機の脚部と木材が接する部分の全面に、傷防止を施す必要があった。
【０００３】
一方、特許文献１においては、自動販売機の本体を載置するパレットと、本体の天井面に被せる天面カバー部材と、これらを縛り付ける部材とによって構成される梱包材が提案されている。
【先行技術文献】
【特許文献】
【０００４】
【特許文献１】特開２００２−１７３１９３号公報
【発明の概要】
【発明が解決しようとする課題】
【０００５】
特許文献１の自動販売機の梱包材においては、パレットの上に自動販売機の本体を載置する構造であるため、特に薄型の自動販売機においては、本体が後方に転倒する恐れがあった。
【０００６】
そこで、本発明は上記問題点に鑑み、環境保全に適し、かつ、自動販売機の本体の後方転倒を防止できる自動販売機の梱包材を提供する。
【課題を解決するための手段】
【０００７】
本発明は、本体底部から前方に突出した左右一対の前脚部を有する自動販売機の梱包材において、前記本体を載置するための硬質紙材製のパレットと、前記パレットの前部に設けられ、前記左右一対の前脚部を覆うための左右一対の脚カバー部と、前記各前脚部を挿入するために、前記各脚カバー部の後部に開口した挿入口と、を有することを特徴とする自動販売機の梱包材である。
【発明の効果】
【０００８】
本発明によれば、硬質紙材製のパレットを用いているため環境保全に適し、また、左右一対の脚カバー部に本体の前脚部を挿入してパレット上に載置するため、本体の後方への転倒を防止できる。
【図面の簡単な説明】
【０００９】
【図１】本発明の一実施例を示す自動販売機の梱包材を梱包しようとしてる状態の斜視図である。
【図２】自動販売機を梱包材によって梱包した状態の斜視図である。
【発明を実施するための形態】
【００１０】
以下、本発明の一実施例の自動販売機１０の梱包材１２について図１及び図２に基づいて説明する。
【００１１】
本実施例の自動販売機１０は、例えばタバコ自動販売機であり、図１に示すように、自動販売機１０の本体１４は、金属製であって、直方体形状を成し、その内部にタバコなどの商品を販売するための装置などが組み込まれている。なお、図１ではこれら装置の図示は省略する。
【００１２】
本体１４の底部の両側部には、室内載置用の直方体よりなる左右一対の脚部１６，１６が設けられている。この左右一対の脚部１６，１６の前部（自動販売機１０の正面側）は、本体１４よりも突出し、後部（自動販売機１０の背面側）も本体１４より突出している。これにより、自動販売機１０を室内などに設置する場合に、安定して設置できる。
【００１３】
次に、梱包材１２について説明する。
【００１４】
梱包材１２は、パレット１８、自動販売機１０の天井面を覆う段ボール製の天面カバー２８、本体１４を縛る２本の縦バンド３０、３０、段ボール製の左右一対の側面カバー３４、横バンド３６を有している。
【００１５】
自動販売機１０の本体１４を載置するためのパレット１８は、平面形状が矩形であり、本体１４を載置できる大きさを有し、複数枚の段ボールを積層したものである。
【００１６】
このパレット１８の上面前部（パレット１８に載置された自動販売機１０の正面側）の左右には、脚部１６，１６における本体１４の底部から前方に突出した部分（前脚部）を覆うための左右一対の脚カバー部２０，２０が設けられている。この脚カバー部２０は、図１及び図２に示すように、一枚の段ボールを折曲して、筒状の挿入空間を形成したものであり、脚カバー部２０の後部には脚部１６を挿入するための挿入口２２が設けられている。脚カバー部２０の前後方向の長さは、脚部１６の本体１４から突出した前脚部の長さと略同じ寸法に設定されている。
【００１７】
パレット１８の後部には、脚部１６における本体１４の後部から突出した部分（後脚部）が嵌め込まれる左右一対の凹部２４、２４を有する位置決め板２６がパレット１８の上面に積層されている。
【００１８】
パレット１８には、左右一対の縦バンド３０，３０を通すための孔３２、３２が開口している。
【００１９】
パレット１８の下面の４つの角部とその間には、円柱状の６本の紙管３８が接着剤によって互いに間隔を開けて固定されている。この６本の紙管３８がパレット１８を水平に支持する。
【００２０】
次に、梱包材１２を用いて、自動販売機１０を梱包する動作について説明する。
【００２１】
まず、自動販売機１０の本体１４に、室内用の左右一対の脚部１６，１６をボルトなどによって固定する。
【００２２】
次に、脚部１６の本体１４の前部から突出した左右一対の前脚部を、パレット１８にある左右一対の脚カバー部２０の挿入口２２から挿入すると共に、左右一対の脚部１６，１６の後部（後脚部）を、位置決め板２６の左右一対の凹部２４，２４に載置する。
【００２３】
次に、左右一対の側面カバー３４，３４を本体１４の両側部にそれぞれ取り付け、横バンド３６によって横方向に縛って固定する。
【００２４】
次に、天面カバー２８を本体１４の天井面に被せ、左右一対の縦バンド３０，３０によって縛る。この場合に、左右一対の縦バンド３０，３０はパレット１８に開口した孔３２、３２を通してパレット１８の底部を介して固定する。
【００２５】
これにより、梱包材１２による自動販売機１０の梱包が終了する。
【００２６】
本実施例によれば、脚カバー部２０，２０によって脚部１６，１６の前部（前脚部）を押さえ浮き上がりをなくしているため、本体１４が後方に転倒することがない。
【００２７】
また、脚部１６は段ボール製の脚カバー部２０によって覆われているため、脚部１６が脚カバー部２０に接しても脚部１６に傷が発生することがない。
【００２８】
また、梱包材１２は、段ボール及び紙管３８によって形成されているため、環境保全に適している。
【００２９】
また、パレット１８は、紙管３８によって支持されているため、この紙管３８によってできた隙間にフォークリフトの爪を挿入すれば、フォークリフトによる搬送も容易である。
【００３０】
本発明は上記各実施形態に限らず、その主旨を逸脱しない限り種々に変更することができる。
【００３１】
例えば、上記実施例ではタバコの自動販売機１０で説明したが、これ以外の飲料水などの自動販売機の梱包材に適用してもよい。また、室外載置用の自動販売機用としても適用できる。
【００３２】
また、硬質紙材として段ボールを例に説明したが、それ以外でも、例えば平板状紙を単に積層し貼り合わせて強度を出すようにしたものでもよい。
【符号の説明】
【００３３】
１０  自動販売機
１２  梱包材
１４  本体
１６  脚部
１８  パレット
２０  脚カバー部
２２  挿入口
３８  紙管
【図１】
2011111200.tif 000003
【図２】
2011111200.tif 000004